(57)【要約】      （修正有）【課題】夏季における水温の上昇及び蒸発による花の傷みを防止できる断熱機能を備え、堅牢で、且つ製造が容易な落とし込みタイプの墓石用花立てを提供する。【解決手段】上縁を窄めた外筒部１１で内筒部１２を覆い、内外筒部の上縁部（口縁部１３及び凹周面部１４）を密封して形成したステンレススチール製真空二重構造の容器本体１と、容器本体における上縁部の外周面に溶着し、上縁部より上方に突出すると共に、装着対象の石材上面への載置機能を備えた上方部材（鍔体２及びフレア体３）と、上方部材における容器本体の上縁部上方位置に密嵌され、花挿通用の切込部４３を設けたシリコン樹脂製の蓋体４とを備えてなる。【選択図】図３
0003197068.tif 000002
【実用新案登録請求の範囲】
【請求項１】
上縁を窄めた外筒部で内筒部を覆い、内外筒部の上縁部を密封して形成したステンレススチール製真空二重構造の容器本体と、前記容器本体における上縁部の外周面に溶着し、前記上縁部より上方に突出すると共に、装着対象の石材上面への載置機能を備えた上方部材と、上方部材における容器本体の上縁部上方位置に密嵌され、花挿通用の切込部を設けたシリコン樹脂製蓋体とを備えてなることを特徴とする墓石用花立て。
【請求項２】
上方部材が、装着対象の石材上面への載置機能を備えた鍔体と、上縁部より上方に突出するとフレア体で構成してなる請求項１記載の墓石用花立て。
【請求項３】
容器本体の上縁部を、口縁部と口縁部の下方に外筒部より細径とした凹周面部を形成し、鍔体を、前記凹周面部に密外嵌する周壁部と、載置機能を備えるようにスカート状に設けた鍔部で構成し、フレア体を、口縁部に密外嵌する装着部と、朝顔状に形成した開口部で構成してなる請求項２記載の墓石用花立て。
【請求項４】
上方部材が、上縁部より上方に突出する装着部と、装着部上方を外周方向に開拡して石材上面への載置機能を備えた鍔部とを一体に形成してなるものである請求項１記載の墓石用花立て。
【考案の詳細な説明】
【技術分野】
【０００１】
本考案は、落とし込みタイプの墓石用花立てに関するものである。
【背景技術】
【０００２】
落とし込みタイプの墓石用花立ては、周知のとおり墓石の花立て台（石材）に穿設した縦穴に挿入される筒状の容器本体に、前記縦穴の開口縁に載置され鍔部を設けて構成され、鍔部を本体開口部に形成するか、或いは本体上方に別設しており、前記容器本体はステンレススチール材の深絞り加工で形成されているのが一般的である（特許文献１）。
【０００３】
前記の落とし込み花立ては、石材に周面が包まれている構成であって、夏季においては、石材自体が高温となり、花立て内の水温が上昇し、蒸発と水質悪化を引き起こし、花が直ぐに傷んでしまう。
【０００４】
この対策として従来から断熱構造の落とし込みタイプの花立てが提案されている。例えば特許文献２（特開９−１４４３８１号公報）には、非通水性発泡スチロール製容器体に、保持筒を備えた金属製蓋体を被冠装着した花立てが開示されている。
【０００５】
また特許文献３（実用新案登録３１３９６４８号公報）には、陶磁器製の本体部分を二重構造に形成して、断熱機能を備えた落とし込みタイプの花立てが提案されている。
【先行技術文献】
【特許文献】
【０００６】
【特許文献１】特開平９−３１７２４９号公報。
【特許文献２】特開平９−１４４３８１号公報。
【特許文献３】実用新案登録３１３９６４８号公報。
【考案の概要】
【考案が解決しようとする課題】
【０００７】
断熱構造の落とし込みタイプの花立ては前記のとおり特許文献２，３で提案されているが、製造容易性及び耐久性に課題がある。特に特許文献２記載の花立ては、２部材を組み合わせて墓前に組み込む必要があり、水の差し替え等の縦穴への着脱操作が煩瑣である。また特許文献２及び特許文献３記載のいずれの花立ても、堅牢性、断熱機能及び製造容易性に問題がある。
【０００８】
そこで本考案は、マグボトルのように大量生産されている筒状のステンレススチール製の真空二重構造体に着目し、当該構造体を容器本体に採用すると共に、シリコン樹脂製蓋体を組み合わせた新規な落とし込みタイプの墓石用花立てを提案したものである。
【課題を解決するための手段】
【０００９】
本考案に係る墓石用花立ては、上縁を窄めた外筒部で内筒部を覆い、内外筒部の上縁部を密封して形成したステンレススチール製真空二重構造の容器本体と、前記容器本体における上縁部の外周面に溶着し、前記上縁部より上方に突出すると共に、装着対象の石材上面への載置機能を備えた上方部材と、上方部材における容器本体の上縁部上方位置に密嵌され、花挿通用の切込部を設けたシリコン樹脂製の蓋体とを備えてなることを特徴とするものである。
【００１０】
而して前記花立ては、花立て台に穿った縦穴に差し入れ、通常の落とし込みタイプの花立てと同様に使用するもので、容器本体に水を入れ、蓋体を上方部材の開口部から押し込むと、上縁部と上方部材の内面との間に生じた段差に蓋体が載置され、花立て開口部分が塞がれ、然る後所望の花を花立て内に挿入するものである。
【００１１】
特に前記の容器本体は真空二重構造であり、開口個所は、花の挿入に際して蓋体の切り込み部分で撓曲して水面上を塞ぐものであるから、夏季における石材の温度上昇や花立てに対する直射日光に晒されても、水温の上昇及び蒸発が抑えられ、花の傷みの進行を遅らせ花を長持ちさせることができるものである。
【考案の効果】
【００１２】
本考案の構成は上記のとおりで、断熱構造の容器本体の使用によって、夏季における水温上昇及び蒸発の課題を解決できたと共に、特に容器本体にステンレススチール製の真空二重容器及び上方部材を採用したことにより、優れた断熱機能を備えた花立てを容易に製造することができ、且つその耐久性も従前の断熱構造を備えた落とし込みタイプの花立てに比較して格段に向上したものである。
【図面の簡単な説明】
【００１３】
【図１】本考案の第一実施形態の全体斜視図。
【図２】同一部切断した正面図。
【図３】同各部材を示す分解斜視図。
【図４】同第二実施形態の要部断面図。
【考案を実施するための形態】
【００１４】
次に本考案の実施形態について説明する。図１乃至図３に示した第一実施形態は、墓前の花立て台Ａの上面から花立ての開口部が突出するタイプのもので、容器本体１と、上方部材としての鍔体２及びフレア体３と、蓋体４で構成される。
【００１５】
容器本体１は、携帯用飲料容器として多用されているステンレススチール製の真空二重構造体で、上縁を窄めた外筒部１１で内筒部１２を覆い、内外筒部の上縁部を密封してなるもので、特に前記の上縁部を、口縁部１３と口縁部１３の下方に外筒部１１より細径とした凹周面部１４に形成したものである。
【００１６】
上方部材を構成する鍔体２は、前記凹周面部１４に密外嵌する周壁部２１と、前記周壁部２１の上部を折り返してスカート状に設けた鍔部２２を備え、特に鍔部２２は、花立て台Ａの縦穴Ｂの周囲上面に載置できる大きさとし、凹周面部１４と周壁部２１との間を溶着して容器本体１と一体化したものである。
【００１７】
また前記鍔体２と共に上方部材を構成するフレア体３は、容器本体１の口縁部１３の外周面に密嵌する装着部３１と、装着部３１の上方を朝顔状に広げた開口部３２からなり、口縁部１３と装着部３１を溶着して、容器本体１と一体にしている。
【００１８】
蓋体４は、シリコン樹脂製で、フレア体３の装着部３１の内周面に密嵌する縁部４１と、縁部４１内を塞いでなる閉塞部４２と、閉塞部４２に形成した放射状の切込部４３を備えたものである。
【００１９】
而して前記の花立ては、従前の落とし込みタイプの花立てと同様に、花立て台Ａに穿った縦穴Ｂに差し入れると、花立て台Ａの上方には、鍔体２とフレア体３が突出状態となり、容器本体１に水を注入すると共に、蓋体４をフレア体３の開口部から押し込み装着するものである。
【００２０】
特に蓋体４は、口縁部１３と装着部３１との間に生じた段差（口縁部１３の頂面）に蓋体４が載置され、花立て開口部分が塞がれるものである。
【００２１】
花は、蓋体４の上方から押し込むと、閉塞部４２が切込部４３から撓められ、茎部分が花立て内（容器本体１内）に挿入されるものである。
【００２２】
従って容器本体１が真空二重構造の断熱機能を備えており、花の挿入に際して蓋体４で水面上を塞ぐものであるから、夏季における水温上昇及び蒸発が抑えられるものである。
【００２３】
また本考案は、図４の第二実施形態に示すように上方部材を鍔体５の単一部材としても良い。即ち鍔体５が、口縁部１３の外周に密外嵌すると共に、少なくとも蓋体４の嵌合高さ分上方に突出する装着壁部５１と、花立て台Ａの縦穴Ｂの周囲上面に載置できる大きさまで拡径した載置鍔部５２を備え、口縁部１３と装着壁部５１との間を溶着して容器本体１と一体化させてなるものである。
【００２４】
而して前記第二実施形態も、第一実施形態同様に蓋体４を鍔体５の開口部から押し込み装着して使用するもので、蓋体４の安定装着並びに容器本体１の断熱機能の効果を奏するものである。
【符号の説明】
【００２５】
１      容器本体
１１    外筒部
１２    内筒部
１３    口縁部（上縁部）
１４    凹周面部（上縁部）
２      鍔体（上方部材）
２１    周壁部
２２    鍔部
３      フレア体（上方部材）
３１    装着部
３２    開口部
４      蓋体
４１    縁部
４２    閉塞部
４３    切込部
５      鍔体（上方部材）
５１    装着壁部
５２    載置鍔部
【図１】
0003197068.tif 000003
【図２】
0003197068.tif 000004
【図３】
0003197068.tif 000005
【図４】
0003197068.tif 000006